(57)【要約】  【課題】待機時の室外機で発生する外風によるファンモータの回生電力による部品破壊を防止しつつ、待機電力を低減させる空気調和機を提供する。  【解決手段】制御部１３がスリープモード時の室外機２０において、異常電圧保護部３０は、直流電圧値が割込閾値以上になった時に制御部１３をスリープモードから保護モードへ移行させ、直流電圧値が短絡閾値以上になった時、回生電力をファンモータ１０の巻線の両端を短絡させて消費させる。また、異常電圧保護部３０は、直流電圧値が短絡閾値未満で、かつ、直流電圧値の変化が低下傾向になった時、保護モードからスリープモードに移行させる。このため、外風によるファンモータの回生電力による部品破壊を防止しつつ、待機電力を低減させ、かつ、信頼性の高い空気調和機とすることができる。【選択図】図１
2019030132.tif 000002
【特許請求の範囲】
【請求項１】
交流電源に接続され、第１直流電圧を出力する第１電源部と、
前記直流電圧が入力されるファンモータ駆動部と、
前記ファンモータ駆動部により駆動されるファンモータと、
前記第１直流電圧を検出する直流電圧検出部と、
前記交流電源に接続され、前記第１直流電圧よりも低い第２直流電圧を出力する第２電源部と、
前記第１直流電圧を用いて空調運転を行う通常モード、又は、前記空調運転が停止した待機状態時に前記第２直流電圧で動作するスリープモード、又は、前記ファンモータが回転することにより発生する回生電力により生成された電圧で動作する保護モードのうち、いずれか1つのモードで動作する制御部と、
前記回生電力の消費を指示する電力消費指示信号を出力する異常電圧保護手段と、
前記電力消費指示信号に従って前記回生電力を消費する電力消費手段とを備え、
前記異常電圧保護手段は、
前記直流電圧検出部が検出した直流電圧値が入力され、
前記制御部が前記スリープモードである場合に前記直流電圧値が予め定めた割込閾値以上になった時、前記制御部を前記スリープモードから前記保護モードへ移行させ、
前記制御部が前記保護モードである場合に前記直流電圧値が、予め定められて前記割込閾値よりも大きい短絡閾値以上になった時、前記電力消費手段へ前記電力消費指示信号を出力することを特徴とする空気調和機。
【請求項２】
前記異常電圧保護手段は、
前記直流電圧値が前記短絡閾値未満で、かつ、前記直流電圧値が時間の経過と共に低下した、もしくは、前記直流電圧値が、予め定められて前記割込閾値よりも小さい監視閾値未満となった時、前記保護モードから前記スリープモードに移行させることを特徴とする請求項１記載の空気調和機。
【発明の詳細な説明】
【技術分野】
【０００１】
本発明は、空気調和機の室外機に係わり、より詳細には、外風によってファンモータが回転することにより発生した回生電力による回路部品の破壊を防止する回路に関する。
【背景技術】
【０００２】
従来、室外機のファンモータの駆動には一般的に三相のインバータが用いられている。このインバータには上アームと下アームを構成する合計６個のスイッチング素子が用いられており、各スイッチング素子には還流ダイオードが備えられている。そして、この６個の還流ダイオードが三相用のブリッジダイオートと同じ回路構成になっている。
一方、室外機の制御部はその動作状態において、通常モードとスリープモードの２つのモードを備えている。通常モードは室外機が空調運転を行っているモードであり、圧縮機やファンモータなどが動作している状態である。スリープモードは圧縮機やファンモータなどが動作していない空調運転を停止した状態であり、制御部が室内機からの運転開始の指示を待っている待機状態である。なお、スリープモードでは制御部を低消費電力とするためにマイコンをスリープ状態にしている。なお、制御部のモードにより室外機の動作も決定されるため、室外機の状態に対しても通常モードとスリープモードの呼称を適用する。
【０００３】
前述した室外機が空調運転を停止した待機状態であり、制御部がスリープモードに入って制御動作を中断している時に台風などによる外風によってファンモータが回転した場合、ファンモータの巻線に回生電力が発生し、この回生電力が前述したインバータ内の還流ダイオードによって整流され、この整流された直流電圧がインバータ内のスイッチング素子や、インバータに電圧を供給するコンバータなどの耐圧を超えたとき、これらの部品を破壊する場合があった。
【０００４】
制御部がスリープモードでなく空調運転を行う通常モードであれば圧縮機を駆動する場合の電力としてこの回生電力を消費することもできるが、スリープモードの場合は制御部内のマイコンもスリープ状態であるため何の対処もできない。一方、室外機の空調運転が停止した待機状態の時に制御部がスリープモードに移行しないで常に外風を監視するようにすれば、外風による回生電力が発生した場合、制御部が前述した下アームのスイッチング素子を全てオンにすることにより回生電力を消費させることができる。但し、それではスリープモードに移行できないため待機状態での消費電力を低減できない。
【０００５】
そこで、室外機のファンモータの回転によって発生する回生電力による回路破壊を防止する技術が開示されている。（例えば、特許文献１参照。）。
引用文献１にはこの問題を解決するため、インバータを駆動する電源、例えばコンバータの出力電圧を利用して制御部用の電圧を生成する制御部用電源と、この電源の出力が接続された制御部を負荷として利用する構成が記載されている。もし、制御部がスリープモードの時に外風により前述した回生電力が発生した場合、まず最初に、この電力を利用して制御部用電源を動作させる。次に制御部用電源の出力に接続された制御部が動作を開始する。
【０００６】
ただし、これだけでは大きな回生電力を消費しきれないため、制御部は動作を開始すると、前述したコンバータに接続された圧縮機駆動用のインバータを介して圧縮機を動作させる処理を行う、または、ファンモータの巻線を短絡させることで回生電力を消費する。このため、発生した回生電力を所定の電圧以下にすることができ、回路部品の破壊を防止するようになっている。また、この処理のための電力は回生電力を用いるため、待機状態における商用電源の消費電力（待機電力）を増加させることがない。
【０００７】
しかしながら、この方式では回生電力から回路部品を保護する処理において、制御部で使用する電力をすべて強弱の差が大きい外風による回生電力で賄っているため、電力の供給が不安定である。つまり、制御部に供給される電圧は安定化されているとは言え、不規則な断続を伴って供給される。
【０００８】
一般的に、制御部にはリセット回路が備えられており、このリセット回路は入力される供給電圧が所定値未満になったら制御部にリセットを掛けて制御部の動作を停止させ、供給電圧が所定値以上になったらリセットを解除して制御部の動作を開始させる。前述した回生電力による不安定な電力の供給による頻繁な供給電圧の断続は、制御部内に多数存在するコンデンサの充放電を発生させる。また、これらのコンデンサと回路の抵抗で決定される時定数がそれぞれのコンデンサの回路毎に異なっており、供給電圧の不規則な断続により中途半端に充電された複数のコンデンサによる充放電のシーケンスが設計通りに行われない場合がある。
このため、期待したシーケンスによる回路動作を実現できない場合があり、回路の暴走などを招く場合があった。このため、回生電力を消費するという動作を行うことができずに回路破壊を起こす場合があり、信頼性に欠けていた。
【先行技術文献】
【特許文献】
【０００９】
【特許文献１】特開２００１−２６３７６７号公報（第３−４頁、図１）
【発明の概要】
【発明が解決しようとする課題】
【００１０】
本発明は以上述べた問題点を解決し、待機時の室外機で発生する外風によるファンモータの回生電力による部品破壊を防止しつつ、待機電力を低減させる空気調和機を提供することを目的とする。
【課題を解決するための手段】
【００１１】
本発明は上述の課題を解決するため、本発明の請求項１に記載の発明は、
交流電源に接続され、第１直流電圧を出力する第１電源部と、
前記直流電圧が入力されるファンモータ駆動部と、
前記ファンモータ駆動部により駆動されるファンモータと、
前記第１直流電圧を検出する直流電圧検出部と、
前記交流電源に接続され、前記第１直流電圧よりも低い第２直流電圧を出力する第２電源部と、
前記第１直流電圧を用いて空調運転を行う通常モード、又は、前記空調運転が停止した待機状態時に前記第２直流電圧で動作するスリープモード、又は、前記ファンモータが回転することにより発生する回生電力により生成された電圧で動作する保護モードのうち、いずれか1つのモードで動作する制御部と、
前記回生電力の消費を指示する電力消費指示信号を出力する異常電圧保護手段と、
前記電力消費指示信号に従って前記回生電力を消費する電力消費手段とを備え、
前記異常電圧保護手段は、
前記直流電圧検出部が検出した直流電圧値が入力され、
前記制御部が前記スリープモードである場合に前記直流電圧値が予め定めた割込閾値以上になった時、前記制御部を前記スリープモードから前記保護モードへ移行させ、
前記制御部が前記保護モードである場合に前記直流電圧値が、予め定められて前記割込閾値よりも大きい短絡閾値以上になった時、前記電力消費手段へ前記電力消費指示信号を出力することを特徴とする。
【００１２】
また、請求項２に記載の発明は、
前記異常電圧保護手段は、
前記直流電圧値が前記短絡閾値未満で、かつ、前記直流電圧値が時間の経過と共に低下した、もしくは、前記直流電圧値が、予め定められて前記割込閾値よりも小さい監視閾値未満となった時、前記保護モードから前記スリープモードに移行させることを特徴とする。
【発明の効果】
【００１３】
以上の手段を用いることにより、本発明による空気調和機によれば、スリープモード時の室外機で発生する外風によるファンモータの回生電力による部品破壊を防止しつつ、待機電力を低減させ、かつ、信頼性の高い空気調和機とすることができる。
【図面の簡単な説明】
【００１４】
【図１】本発明による空気調和機の実施例を示すブロック図である。
【図２】本発明による異常電圧保護部の実施例を示すブロック図である。
【図３】異常電圧保護部の動作を説明する説明図である。
【発明を実施するための形態】
【００１５】
以下、本発明の実施の形態を、添付図面に基づいた実施例として詳細に説明する。なお、本発明と直接関係のない冷媒回路などの図示と説明を省略する。
【実施例１】
【００１６】
図１は空気調和機の室外機２０である。この室外機２０は、図示しない交流電源が接続される入力端子１ａ，１ｂと、入力端子３ａ，３ｂに入力された交流電力を直流電力に変換して出力端子３ｃ，３ｄに出力するコンバータ３と、入力端子１ａとコンバータ３の入力端子３ａの間に直列に接続されたリレー２と、出力端子３ｃ，３ｄに出力される直流電力を交流電力に変換するインバータ４と、インバータ４で駆動される圧縮機のモータ５と、出力端子３ｃ，３ｄに出力される直流電力を交流電力に変換するファンモータ駆動部９と、ファンモータ駆動部９で駆動されるファンモータ１０を備えている。なお、ファンモータ駆動部９とファンモータ１０で後述する電力消費部（電力消費手段）１４を構成している。
【００１７】
また、この室外機２０は、リレー２とコンバータ３とインバータ４とファンモータ駆動部９をそれぞれ制御する制御部１３と、コンバータ３の出力端子３ｃから出力される直流電圧（第１直流電圧）が入力されて制御部１３へ制御用の電源を供給する降圧型電源回路７と、コンバータ３が停止中に交流電源を直流電源に変換して降圧型電源回路７へ直流電圧（第２直流電圧）を供給する待機時用電源部６とを備えている。なお、制御部１３は内部にマイコン１３ａを備えている。
【００１８】
また、室外機２０は、待機時用電源部６の正極電圧を出力する出力端子６ｃにアノード端子が、カソード端子が降圧型電源回路７の正極入力に接続されたダイオード１２と、出力端子３ｃにアノード端子が、カソード端子が降圧型電源回路７の正極入力にそれぞれ接続されたダイオード１１と、コンバータ３の出力端子３ｃと出力端子３ｄの間の電圧を検出して直流電圧値として制御部１３へ出力する直流電圧検出部８とを備えている。
【００１９】
なお、降圧型電源回路７はグランドに接続されており、降圧型電源回路７の正極入力とグランドとの間に入力電圧が印加され、また、降圧型電源回路７の正極出力とグランドとの間から制御用電圧が出力される。制御部１３の内部には、コンバータ３の出力端子３ｃ，３ｄ間の直流電圧値が予め定めた電圧以上になった時に、出力端子３ｃと出力端子３ｄの間にファンモータ１０の回生電力により発生する直流電圧を低下させる異常電圧保護部３０を備えている。また、コンバータ３内にはコンバータ３の出力端子３ｃと出力端子３ｄの間に接続された平滑コンデンサ３ｅが備えられている。なお、異常電圧保護部３０については後で詳細に説明する。
【００２０】
待機時用電源部６は、入力端子６ａ，６ｂと、出力端子６ｃと、整流器６１と、平滑コンデンサ６２を備えている。整流器６１の一方の入力は入力端子６ａを介して室外機２０の入力端子１ａに、また、整流器６１の他方の入力は入力端子６ｂを介して室外機２０の入力端子１ｂにそれぞれ接続されている。また、平滑コンデンサ６２が整流器６１の出力端子とグランドとの間に接続されている。また、出力端子６ｃからは整流された正極の電圧が出力される。なお、整流器６１の負極出力はグランドに接続されている。
【００２１】
次に室外機２０の動作について説明する。室外機２０の制御部１３は、リレー２が閉となりコンバータ３が動作して圧縮機のモータ５やファンモータ１０が回転して空調動作を行なう通常モードと、リレー２が開となりコンバータ３が停止してモータ５とファンモータ１０が共に停止している待機状態時にマイコン１３ａをスリープ状態にして消費電力を低減さるスリープモードを切り換える。
【００２２】
図示しない室内機からの運転開始／運転停止の運転指示が制御部１３に入力されると、これに対応して制御部１３は、通常モードとスリープモードを切り替える。制御部１３が通常モードの場合は、制御部１３が出力端子３ｃ，３ｄの間の電圧を所定電圧とするようにスイッチングパルス信号をコンバータ３へ出力することでコンバータ３に備えられている図示しないリアクタに流れる電流が断続される。この結果、平滑コンデンサ３ｅの両端に所定の直流電圧が印加され、この直流電圧が出力端子３ｃ，３ｄから出力される。
【００２３】
この直流電圧がインバータ４に印加され、制御部１３はモータ５が所定の回転数となるようにスイッチングパルス信号をインバータ４に出力してモータ５の回転を制御する。また、この直流電圧はファンモータ駆動部９にも入力されており、制御部１３が出力するファンモータ駆動信号に従ってファンモータ駆動部９はファンモータ１０を回転させる。
【００２４】
また、降圧型電源回路７は入力されたコンバータ３の出力電圧を＋１５ボルトや＋１２ボルト、＋５ボルトなどの制御用電圧に変換し、この変換された制御用電圧を制御部１３へ出力する。制御部１３は室内機からの指示により室外機２０を通常モードからスリープモードにするとリレー２が開となるためコンバータ３が停止し、このため降圧型電源回路７へ出力される電圧が徐々に低下する。
【００２５】
一方、待機時用電源部６には常に交流電源が供給されているため、室外機２０が通常モードかスリープモードかに関わらず、待機時用電源部６は常に降圧型電源回路７へ直流電圧を印加している。ただし、コンバータ３の出力電圧（３８０ボルト）よりも待機時用電源部６の出力電圧（１４０ボルト）が低くなるように設計されているため、コンバータ３が動作中の場合は待機時用電源部６から降圧型電源回路７へ電流が流れない。そして、室外機２０がスリープモードになってコンバータ３からの電圧が１４０ボルト以下に低下して降圧型電源回路７へ電圧が供給されなくなった時、代わりに待機時用電源部６から出力される直流電圧が降圧型電源回路７へ供給される。
【００２６】
室外機２０がスリープモードに移行する場合、制御部１３内のマイコン１３ａは、制御部１３内のドライバやセンサ用電源などの不要な回路の電源を切断したのち、マイコン１３ａをスリープ状態にする。また前述のようにコンバータ３から直流電圧は出力されておらず、待機時用電源部６はこのスリープ状態のマイコン１３ａとわずかな周辺回路のみに電源を供給するため非常に消費電力が少ない。
【００２７】
図２は本発明による異常電圧保護部３０の実施例を示すブロック図である。
この異常電圧保護部３０は、制御部１３がスリープモード時に直流電圧が一定値以上に上昇した場合、つまり、ファンモータ１０が外風により回転して一定値以上の回生電力が発生した場合、ファンモータ駆動部９内のスイッチング素子をオンすることでファンモータ１０内の図示しない巻線の両端を短絡させて回生電力を消費し、この結果、回生電力による直流電圧を一定値以下に低下させる保護モードに移行させる。
【００２８】
この異常電圧保護部３０は、制御部１３がスリープモードである時に回生電力による直流電圧が予め定めた割込閾値以上に上昇した時、スリープ状態のマイコン１３ａをウェイクアップさせる割込み信号を出力する外風検出部３１と、この割込み信号が入力された時、直流電圧を一定値以下に低下させる保護モードを開始する処理管理部３２と、直流電圧が予め定めた短絡閾値以上に上昇した時、回生電力を電力消費部１４を介して消費させる電力消費指示信号を出力する電力消費指示部３５と、回生電力による直流電圧の増加・減少を算出して積分電圧値として出力する積分電圧算出部３４と、入力された積分電圧値の増加・減少の傾向により保護モードを終了するか否かを判定する処理終了判定部３３を備えている。なお、割込閾値＜短絡閾値の関係にあるものとする。
【００２９】
なお、処理管理部３２は、各部の動作を開始させる動作許可信号を電力消費指示部３５と積分電圧算出部３４と処理終了判定部３３へ出力する。また、処理終了判定部３３は保護モードを終了する判定を行った時、処理終了信号を外風検出部３１と処理管理部３２に出力する。
【００３０】
外風検出部３１は、前述した割込み信号の出力を許可/禁止する機能を備えており、入力された処理終了信号がハイレベル（保護モードの停止中）で割込みを許可に、また、処理終了信号がローレベル（保護モード実行中）で割込み禁止とする。そして外風検出部３１は、処理終了信号がハイレベルで入力されている場合、割込み信号の出力が許可されているため、入力された直流電圧値が割込閾値（１５０ボルト）以上になった時、ハイレベルの割込み信号を処理管理部３２へ出力する。処理終了信号がハイレベルで入力されている場合、この割込み信号が入力された処理管理部３２は、動作許可信号をハイレベル（動作許可）にして出力する。なお、外風検出部３１は割込み信号を出力すると処理終了信号がローレベルとなるため、次に処理終了信号がハイレベル（保護モードの停止中）になるまで割込みの出力を禁止する。
【００３１】
動作許可信号が動作許可となると、電力消費指示部３５と積分電圧算出部３４と処理終了判定部３３が各部の処理を開始する。電力消費指示部３５は直流電圧値を監視し、この直流電圧値が予め定められた短絡閾値以上に上昇した時に電力消費指示信号を出力する。この電力消費指示信号は図１に示すように異常電圧保護部３０からマイコン１３ａを介して電力消費部１４へ出力される。一方、ファンモータ駆動部９は図示しないインバータを備えており、その内部には上アームと下アームを構成する合計６個のスイッチング素子が用いられている。
前述した短絡信号が入力されたファンモータ駆動部９は、その内部に備えている下アームのスイッチング素子をすべてオンとすることでファンモータ１０内の巻線の両端を短絡させ、この結果、回生電力が消費される。
【００３２】
一般的に永久磁石を備えたモータの回転による回生電力をモータの巻線両端を短絡することで消費すると、永久磁石の減磁を招くことがあるため、巻線を用いた回生電力の短絡時間は最小限に留めたほうがよい。このため本実施例では室外機２０が動作中にファンモータ駆動部９に印可される電圧である３８０ボルトよりやや低い３００ボルトを短絡閾値としており、回路破壊の可能性が低い直流電圧値では出来るだけ短絡を行わないようにしている。なお、割込閾値は短絡閾値よりも低い値であって、かつ、回生電力による直流電圧が、待機時用電源部６の出力電圧（約１４０ボルト）よりも高い電圧（１５０ボルト）としている。このため、保護モードを開始した時は回生電力による直流電圧でのみ制御部１３が動作することになり、待機電力を低減させることができる。
【００３３】
積分電圧算出部３４は単位時間（１０分）において、入力された直流電圧値を１秒毎にサンプリングして取り込んで積算し、積算結果を単位時間、つまり６００秒で除算した値を積分電圧値として求める。処理終了判定部３３は、入力された前回（１０分前）の積分電圧値を記憶しており、今回と前回を比較することで直流電圧が低下傾向か判定する。
このように直流電圧値を積分して、時間的に前後する２つの積分電圧値を比較することにより、直流電圧値の瞬時値では判定できない時間的経過による直流電圧値の変化傾向を見ることができる。
一方、処理終了判定部３３は、積分電圧値が予め定めた監視閾値（１３０ボルト）未満になったかを監視している。つまり、処理終了判定部３３は、前述した直流電圧が低下傾向かだけでなく、回生電力による直流電圧が待機時用電源部６の出力電圧（約１４０ボルト）よりも低くなり、回生電力による直流電圧を監視する必要が無くなったかを確認する。
具体的に処理終了判定部３３は、積分電圧値が低下傾向で、かつ、監視閾値未満になった時、外風の風力は低下傾向と判定して保護モードを終了させる処理終了信号をハイレベル（処理終了）にして出力する。
【００３４】
このハイレベルの処理終了信号が入力された処理管理部３２は、動作許可信号をローレベル（動作禁止）にする。一方、このハイレベルの処理終了信号が入力された外風検出部３１は次の割込みに備えて割込み信号の出力を許可する。また、処理管理部３２は、マイコン１３ａをスリープ状態にして制御部１３をスリープモードへ移行させる。
【００３５】
図３は異常電圧保護部３０の動作を説明する説明図である。
図３の横軸は時間を示しており、縦軸に関して図３（１）は直流電圧を、図３（２）は処理終了信号を、図３（３）は制御部１３の動作を、図３（４）は割込み信号を、図３（５）は動作許可信号を、図３（６）は電力消費指示信号を、図３（７）は積分電圧値を、それぞれ示している。なお、ｔ１〜ｔ１１は時刻である。また、前提条件として室外機２０はコンバータ３が動作している通常モードであるとする。
【００３６】
図３（３）に示すように制御部１３は、図示しない室内機より運転停止の指示を受けたため、コンバータ３やインバータ４やファンモータ駆動部９などの運転を停止し、ｔ１でスリープモードに移行するため、マイコン１３ａをスリープ状態にする。従ってコンバータのスイッチング制御も停止するため、ｔ２から直流電圧が低下を開始して最終的に０ボルトになる。なお、図３（２）に示すようにｔ３以前は処理終了信号がハイレベル（保護モードの停止）であるため、動作許可信号もローレベル（動作禁止）となっている。
なお、前述したように、コンバータ３から電圧が供給されている状態であるｔ１までが通常モードであり、ｔ１以降がスリープモードとなる。
【００３７】
このスリープモードの場合に外風が徐々に強くなり、図３（１）に示すように、ｔ３で回生電力による直流電圧が割込閾値以上になると、外風検出部３１は、図３（４）に示すようにハイレベルの割込み信号を出力する。この割込み信号が入力された処理管理部３２は、制御部１３をスリープモードから保護モードに移行させるため、マイコン１３ａをウェイクアップさせると共に、動作許可信号を動作許可（ハイレベル）にして電力消費指示部３５と積分電圧算出部３４と処理終了判定部３３の動作を開始させる。
【００３８】
積分電圧算出部３４は、ｔ３から所定時間（１０分）が経過したｔ４までの積分電圧値を求め、算出結果をｔ４で処理終了判定部３３へ出力する。なお、積分電圧算出部３４は動作許可信号がローレベルになるまで所定時間毎に繰り返して積分電圧値を求めて出力する。つまり、積分電圧算出部３４は積分電圧値として図３（７）に示すように、一回目の所定時間が経過したｔ４で１４０ボルト、二回目の所定時間が経過したｔ５で１２０ボルトをそれぞれ算出する。
【００３９】
終了判定部３３は、積分電圧値がｔ３で保護モード開始による初期値の０ボルト、ｔ４で１４０ボルトであり、監視閾値の１３０ボルト以上であるため、直流電圧値は上昇傾向であると判定して処理終了信号をローレベル（保護モード実行中）のままとする。そして、終了判定部３３は、積分電圧値がｔ５で１２０ボルトであり、ｔ４の時と比較して直流電圧値が低下傾向であり、かつ、監視閾値の１３０ボルト未満であるため、処理終了信号をハイレベル（停止中）にして出力する。ハイレベルの処理終了信号が入力された処理管理部３２は、図３（５）のｔ５に示すように、動作許可信号をローレベル（動作禁止）にすると共に図３（３）のｔ５に示すように、制御部１３を保護モードからスリープモードに移行させる。
【００４０】
そして図３（１）のｔ６において、直流電圧が割込閾値を超えたため、外風検出部３１はｔ６で割込み信号を出力する。このため、前述したように異常電圧保護部３０は、制御部１３をスリープモードから保護モードに移行させて異常電圧保護部３０内の各部の動作を開始させる。そして、電力消費指示部３５は、図３（１）のｔ７で直流電圧が短絡閾値である３００ボルト以上になったため、電力消費部１４内のファンモータ駆動部９に対してファンモータ１０の図示しない巻線両端を短絡するハイレベルの電力消費指示信号を出力する。この結果、直流電圧が低下してｔ８で短絡閾値未満となったため、電力消費指示部３５は、電力消費部１４に対してファンモータ１０の巻線両端を開放するローレベルの電力消費指示信号を出力する。図３（１）のｔ８以降は外風が徐々に弱まってきたため、直流電圧が上下変動を伴いながら徐々に低下する。
【００４１】
一方、積分電圧算出部３４はｔ３で割込み信号がハイレベルになった時と同様に、ｔ７で２００ボルト、ｔ８で３２０ボルト、ｔ９で２１０ボルト、ｔ１０で１４０ボルト、ｔ１１で１２０ボルトを算出する。処理終了判定部３３は前述のように積分電圧の変化を監視しており、図３（７）に示すようにｔ１０で算出された前回の積分電圧（１４０ボルト）よりも、ｔ１１で算出された積分電圧（１２０ボルト）が低下して電圧が低下傾向であり、かつ、ｔ１１で算出された積分電圧が監視閾値未満であるため、処理終了信号をハイレベル（処理を停止）にして出力する。このため、前述のように、この処理終了信号が入力された処理管理部３２は、動作許可信号をローレベル（動作禁止）に、また、マイコン１３ａをスリープ状態にして制御部１３をスリープモードする。そして、異常電圧保護部３０は、次に外風が強くなって直流電圧が割込閾値以上になるまでスリープモードを保持する。
【００４２】
以上説明したように、制御部１３がスリープモードとなっている場合、異常電圧保護部３０は、直流電圧検出部８で検出した直流電圧値が割込閾値以上になった時、制御部１３をスリープモードから保護モードへ移行させ、直流電圧値が短絡閾値以上になった時、回生電力をファンモータ１０の巻線の両端を短絡させることで消費させる。また、異常電圧保護部３０は、直流電圧値が短絡閾値未満で、かつ、直流電圧値が時間の経過と共に低下した時、保護モードからスリープモードに移行させる。このため、外風によるファンモータの回生電力による部品破壊を防止しつつ、待機電力を低減させ、かつ、信頼性の高い空気調和機とすることができる。
【００４３】
本実施例では異常電圧保護部３０をハードウェアとして説明しているが、これに限るものでなく、ソフトウェアを用いて実現してもよい。
また、本実施例では処理終了判定部３３が処理終了信号を出力する条件として積分電圧が減少傾向で、かつ、監視閾値未満としているがこれに限るものでなく、積分電圧が低下傾向、又は、積分電圧が監視閾値未満となった時に処理終了信号を出力してもよい。
また、本実施例では電力消費手段として電力消費部１４を用いているが、これに限るものでなく、インバータ４とモータ５の組み合わせでもよいし、短絡専用の抵抗とこれを直流電圧に接続/開放するスイッチとの組み合わせなど、回生電力による直流電圧を低下させるものであればどの様なものでもよい。
【符号の説明】
【００４４】
１ａ  入力端子
１ｂ  入力端子
２  リレー
３  コンバータ（第１電源部）
３ａ  入力端子
３ｂ  入力端子
３ｃ  出力端子
３ｄ  出力端子
４  インバータ
５  モータ
６  待機時用電源部（第２電源部）
７  降圧型電源回路
８  直流電圧検出部
９  ファンモータ駆動部
１０  ファンモータ
１１  ダイオード
１２  ダイオード
１３  制御部
１３ａ  マイコン
１４  電力消費部（電力消費手段）
２０  室外機
３０  異常電圧保護部（異常電圧保護手段）
３１  外風検出部
３２  処理管理部
３３  処理終了判定部
３４  積分電圧算出部
３５  電力消費指示部
【図１】
2019030132.tif 000003
【図２】
2019030132.tif 000004
【図３】
2019030132.tif 000005